(57)【要約】      （修正有）【課題】一体型の装置により、個人が常時所持し、いつでも自己の姿勢が正常姿勢に比しどんな状態にあるか表示し、また、その姿勢において、自己の健康維持のため、今後行うべき最適な運動プログラムを把握し、一定の運動後においても簡易に運動の効果を評価でき、最適な運動プログラムを決定できる姿勢評価に基づく最適運動プログラム決定システムを提供する。【解決手段】カメラ及び表示画面が内蔵される一体型タブレットコンピュータ１に組み込まれ、内蔵カメラで被評価者Ａの正面及び側面を撮影し、これらの撮影された人体正面画像及び人体側面画像から、予め記録された人体の一般的正面姿勢から７つの判定パターンの中から該当する姿勢パターンを決定し、側面姿勢については、４つの判定パターンの中から該当する姿勢パターンを決定し、決定された当該被評価者の一又は複数の姿勢パターンについて、それぞれ最適な運動プログラムを表示画面３に表示する。【選択図】図１
2014078145.tif 000002
【特許請求の範囲】
【請求項１】
カメラ及び表示画面が内蔵される一体型タブレットコンピュータに組み込まれ、前記内蔵カメラで被評価者の正面及び側面を撮影し、これらの撮影された人体正面画像及び人体側面画像から、予め記録された人体の一般的正面姿勢における(a)頭部眉間位置、(b）頭側部の左右耳位置、(c)左右の肩位置、（d）胸部位置、（E)臍位置、（F）左右の腰位置、(G)左右の膝位置、(H)左右の踝位置及び人体の一般的側面姿勢における(i)耳位置、（j）肩位置、（k）腰位置、（l）膝位置、(m)踝位置位置からこれらの各部位を判別し、これらの各部位の表示上の高さ位置を決定し、決定された前記(a)頭部眉間位置、前記(b）頭側部の左右耳位置の中点、前記(c)左右の肩位置の中点、d）前記胸部位置、前記（e)臍位置、（f）左右の腰位置の中点、(g)左右の膝位置の中点、(h)左右の踝位置の中点を結ぶ人体中心線を形成し、さらに、前記(b）頭側部の左右耳位置の傾き、（ウ）前記(c)左右の肩位置の傾き、（エ）前記（f）左右の腰位置の傾き、(g)左右の膝位置の傾き、(h)左右の踝位置の各傾きを決定し、正面姿勢について、前記人体中心線、前記各部位の傾きからそれぞれの部位について「右ずれ」、「真ん中」、「左ずれ」を判別し、これらの「右ずれ」、「真ん中」、「左ずれ」の組み合わせについて姿勢の類似生を考慮して類型化した（あ）「正常」、（い）「右より」、（う）「左より」、（え）「右下がり」、（お）「左下がり」、（か）「くの字」、（き）「逆くの字」の７つの判定パターンの中から該当する姿勢パターンを決定し、また、予め記録された人体の一般的側面姿勢における前記(i)耳位置、前記（j）肩位置、前記（k）腰位置、前記（l）膝位置、前記(m)踝位置からこれらの各部位を判別し、これらの各部位の表示上の高さ位置を決定し、決定された前記(i)耳位置、前記（j）肩位置、前記（k）腰位置、前記（l）膝位置、前記(m)踝位置を結ぶ人体前後中心線を形成し、側面姿勢について、前記(i)耳位置、前記（j）肩位置、前記（k）腰位置、前記（l）膝位置、前記(m)踝位置の各位置の前記人体前後中心線からのずれについて、それぞれ「前傾」、「真ん中」、「後傾」を判別し、これらの「前傾」、「真ん中」、「後傾」の組み合わせについて姿勢の類似生を考慮して類型化した（く）「正常」、（け）「猫背」、（こ）「反り腰」、（さ）「猫反り」の４つの判定パターンの中から該当する姿勢パターンを決定し、決定された当該被評価者の一又は複数の姿勢パターンについて、それぞれ最適な運動プログラムを前記表示画面に表示可能としたことを特徴とする姿勢評価に基づく最適運動プログラム決定システム。
【請求項２】
前記最適運動プログラムは、(a)ＬＢトレーニング、(b)ＬＢストレッチ、(c)ＬＢウォーク、(d)ＬＢシェイプ、(e) ＬＢスイムと称される各運動プログラムのうちの一つまたは二以上の運動プログラムの組み合わせで決定される運動プログラムであることを特徴とする請求項１に記載の姿勢評価に基づく最適運動プログラム決定システム。
【請求項３】
前記最適運動プログラムは、請求項１に記載の各姿勢パターンの外、別途入力される少なくとも骨盤筋力測定値、体組成測定値、柔軟性測定値及び血圧測定値のうちの一又は複数の数値を考慮して決定される運動プログラムであることを特徴とする請求項１に記載の姿勢評価に基づく最適運動プログラム決定システム。
【請求項４】
前記タブレット型コンピュータは、機能的に同等の機能を有するスマートフォンタイプの携帯電話又はカメラ機能を備える携帯型コンピュータであることを特徴とする請求項１に記載の姿勢評価に基づく最適運動プログラム決定システム。
【発明の詳細な説明】
【技術分野】
【０００１】
本発明は、姿勢評価に基づく最適運動プログラム決定システムに関する。
【背景技術】
【０００２】
人は、適度な運動をすることにより健康で快適な生活を送ることができることが知られているが、ある人にとって健康で快適な生活を送るための適度な運動かどうかを評価することは難しいことである。これまでは、人が、例えば、スポーツジムクラブのインストラクター等が目視により、それまでの経験と勘によって、対象者の適度な運動を決めているのが普通である。
そして、この種の最適運動プログラム決定システムに関連する先行技術としては、例えば、特開２００５−３５２６２７号公報に開示のものや特開２００７−３３４３８１号公報に開示のものが知られている。
【０００３】
特開２００５−３５２６２７号公報に開示のものは、発明名称「運動指導支援システム」に係り、「指導対象者に対してより強い意識付けができる情報を提示するとともに、指導者が指導対象者に対する効果的な運動プログラムを作成できるようにする運動指導支援システムを提供する」ことを目的とする課題解決において（同公報明細書段落番号０００８参照）、「健診の結果情報を入力する健診履歴情報入力手段と、運動の実施内容を示す情報を入力する運動履歴情報入力手段と、前記健診履歴情報入力手段で入力された健診履歴情報と前記運動履歴情報入力手段で入力された運動履歴情報の中で同一人物のデータを結びつける突合手段と、前記突合手段で突合した前記健診履歴情報と前記運動履歴情報を保存する健診・運動履歴情報データベースと、個人の健康状態に関する情報を入力する個人健康状態入力手段と、前記個人健康状態入力手段で入力された個人の健康状態に関する情報を基に前記健診・運動履歴情報データベースを検索する履歴情報検索手段と、前記履歴情報検索手段で取得した情報を出力する個人別情報出力手段とを有する」こととする構成により（同公報特許請求の判旨の請求項１の記載等参照）、「実際の健診結果と運動の履歴のデータに基づいた運動の効果を定量的に提示でき・・これにより、運動指導にこの情報を提示することで、運動指導の説得力を高めることができ、・・運動指導の対象者の状態に適した運動プログラムを作成することができ・・さらに、指導対象者にとっても、どの程度の運動により健康状態が改善するかを定量的に参照することができるので、自分にとってどの程度の運動が必要なのかを判断することができる」等の効果を奏するとするものである（同公報明細書段落番号００４６参照）。
【０００４】
また、上記特開２００７−３３４３８１号公報に開示のものは、発明名称「運動指導支援システム」に係り、「運動指導の効果を適確にわかり易い形で表すことにより、より効果的な運動指導を可能にする運動指導支援システムを提供する」ことを目的とする課題解決において（同公報明細書段落番号０００７参照）、「人についての体力測定の結果を、測定した日に対応させて、健診結果データとして蓄積する健診結果データ蓄積手段と、前記個人を撮影した画像を、撮影した日に対応させて、画像データとして蓄積する画像データ蓄積手段と、前記健診結果データ及び／又は前記画像データを表示させたい個人を指定するための個人指定手段と、前記個人指定手段によって指定された個人に対応する前記健診結果データ及び前記画像データを取得して、前記健診結果データに含まれる情報と前記画像データが示す画像とが比較できるように、前記情報と前記画像とを時系列に表示する表示処理手段とを備える」こと等によって（同公報特許請求の範囲の請求項１の記載等参照）、「従来の同様のシステムでわからなかった指導対象者の身体状況がわかり、運動指導の効果の的確に把握でき、・・より簡易・正確に指導対象者の身体状況を確認することが可能、・・・より効果的な運動指導を可能にする運動指導支援システムを提供する」等の効果を奏するものである（同公報明細書段落番号００１３〜００１７参照）。
【０００５】
しかしながら、上記示す従来の運動支援システムは、いずれも、大がかりな装置を必要とし、また、専門の操作要員等を必要とするなど、簡易に運動結果の評価を行うことはできず、健康保険組合や大きな病院等に限られるものであった。
そのため、街のスポーツクラブ等の小さな施設での利用は限られ、充分に利用されているとは言いがたかった。
【０００６】
また、特開２００７−３３４３８１号公報に開示のものは、「指導対象者の立位姿勢画像及び歩行姿勢画像の違いを表示する」だけであって、姿勢を評価するものではなく、また、評価された姿勢が、正常姿勢に比し，どのような状態にあるか、さらには、そのような評価姿勢においては今後推奨される最適な運動プログラムはどのようなものかを決定するものではなかった。
【先行技術文献】
【特許文献】
【０００７】
【特許文献１】特開２００５−３５２６２７号公報
【特許文献２】特開２００７−３３４３８１号公報
【発明の概要】
【発明が解決しようとする課題】
【０００８】
本発明は、上記のような問題点に鑑み、一体型の装置により、運動をする個人が常時所持し、必要なときに、いつでも自己の姿勢が正常姿勢に比しどのような状態にあるか表示し、また、その姿勢においては、どのような運動をすれば、自己の健康維持、健全な生活環境維持ができるかを表示でき、かつ、今後行うべき最適な運動プログラムを把握し、一定の運動後においても、簡易に運動の効果を評価でき、それによってスポーツクラブ等において、最適な運動プログラムを決定することができる姿勢評価に基づく最適運動プログラム決定システムを提供することを目的とする。
【課題を解決するための手段】
【０００９】
上記の目的を達成するために、本願請求項１に係る発明は、姿勢評価に基づく最適運動プログラム決定システムにおいて、カメラ及び表示画面が内蔵される一体型タブレットコンピュータに組み込まれ、前記内蔵カメラで被評価者の正面及び側面を撮影し、これらの撮影された人体正面画像及び人体側面画像から、予め記録された人体の一般的正面姿勢における(a)頭部眉間位置、(b）頭側部の左右耳位置、(c)左右の肩位置、（d）胸部位置、（E)臍位置、（F）左右の腰位置、(G)左右の膝位置、(H)左右の踝位置及び人体の一般的側面姿勢における(i)耳位置、（j）肩位置、（k）腰位置、（l）膝位置、(m)踝位置位置からこれらの各部位を判別し、これらの各部位の表示上の高さ位置を決定し、決定された前記(a)頭部眉間位置、前記(b）頭側部の左右耳位置の中点、前記(c)左右の肩位置の中点、d）前記胸部位置、前記（e)臍位置、（f）左右の腰位置の中点、(g)左右の膝位置の中点、(h)左右の踝位置の中点を結ぶ人体中心線を形成し、さらに、前記(b）頭側部の左右耳位置の傾き、（ウ）前記(c)左右の肩位置の傾き、（エ）前記（f）左右の腰位置の傾き、(g)左右の膝位置の傾き、(h)左右の踝位置の各傾きを決定し、正面姿勢について、前記人体中心線、前記各部位の傾きからそれぞれの部位について「右ずれ」、「真ん中」、「左ずれ」を判別し、これらの「右ずれ」、「真ん中」、「左ずれ」の組み合わせについて姿勢の類似生を考慮して類型化した（あ）「正常」、（い）「右より」、（う）「左より」、（え）「右下がり」、（お）「左下がり」、（か）「くの字」、（き）「逆くの字」の７つの判定パターンの中から該当する姿勢パターンを決定し、また、予め記録された人体の一般的側面姿勢における前記(i)耳位置、前記（j）肩位置、前記（k）腰位置、前記（l）膝位置、前記(m)踝位置からこれらの各部位を判別し、これらの各部位の表示上の高さ位置を決定し、決定された前記(i)耳位置、前記（j）肩位置、前記（k）腰位置、前記（l）膝位置、前記(m)踝位置を結ぶ人体前後中心線を形成し、側面姿勢について、前記(i)耳位置、前記（j）肩位置、前記（k）腰位置、前記（l）膝位置、前記(m)踝位置の各位置の前記人体前後中心線からのずれについて、それぞれ「前傾」、「真ん中」、「後傾」を判別し、これらの「前傾」、「真ん中」、「後傾」の組み合わせについて姿勢の類似生を考慮して類型化した（く）「正常」、（け）「猫背」、（こ）「反り腰」、（さ）「猫反り」の４つの判定パターンの中から該当する姿勢パターンを決定し、決定された当該被評価者の一又は複数の姿勢パターンについて、それぞれ最適な運動プログラムを前記表示画面に表示可能としたことを特徴とする。
また、本願請求項２に係る発明は、前記請求項１に係る姿勢評価に基づく最適運動プログラム決定システムにおいて、前記最適運動プログラムは、(a)ＬＢトレーニング、(b)ＬＢストレッチ、(c)ＬＢウォーク、(d)ＬＢシェイプ、(e) ＬＢスイムと称される各運動プログラムのうちの一つまたは二以上の運動プログラムの組み合わせで決定される運動プログラムであることを特徴とする。
さらに、本願請求項３に係る発明は、前記請求項１に係る姿勢評価に基づく最適運動プログラム決定システムにおいて、前記最適運動プログラムは、請求項１に記載の各姿勢パターンの外、別途入力される少なくとも骨盤筋力測定値、体組成測定値、柔軟性測定値及び血圧測定値のうちの一又は複数の数値を考慮して決定される運動プログラムであることを特徴とする。
そして、本願請求項４に係る発明は、前記請求項１に係る姿勢評価に基づく最適運動プログラム決定システムにおいて、前記タブレット型コンピュータは、機能的に同等の機能を有するスマートフォンタイプの携帯電話又はカメラ機能を備える携帯型コンピュータであることを特徴とする。
【発明の効果】
【００１０】
本願発明によれば、一体型の装置により、運動をする個人が常時所持し、必要なときに、いつでも自己の姿勢が正常姿勢に比しどのような状態にあるか表示し、また、その姿勢においては、どのような運動をすれば、自己の健康維持、健全な生活環境維持ができるかを表示でき、かつ、今後行うべき最適な運動プログラムを把握することができ、一定の運動後においても、簡易に運動の効果を評価でき、それによってスポーツクラブ等において、最適な運動プログラムを決定することができる。すなわち、常時持ち運び可能でいつでも必要なときに単に被評価者の人体正面及び人体側面を撮影するだけで、被評価者の姿勢パターンを決定でき、決定された姿勢パターンに基づき、最適な運動プログラムを決定することができる。
【図面の簡単な説明】
【００１１】
【図１】図１は、本発明に係る姿勢評価に基づく最適運動プログラム決定システムを実施するための形態の一実施例である姿勢評価に基づく最適運動プログラム決定システムを構成する実施例１を示す図である。
【図２】図２は、前記タブレット型コンピュータ１の機能概念図である。
【図３】図３は、本実施例１に係る姿勢評価に基づく最適運動プログラム決定システムが格納された前記一体型ブレット型コンピュータ１の画像取り込み表示画面の概略を示す図である。
【図４】図４（ａ）（ｂ）は、取り込まれた被評価者の正面姿勢画像及び側面姿勢画像の概略を示す図である。
【図５】図５（ａ）（ｂ）は、表示画面３上に表示された被評価者の人体各部の傾斜を示す正面姿勢概略図であり、図５（ａ）は、被評価者の左右の人体傾斜を線図で示す図であり、図５（ｂ）は、被評価者の前後の人体側部中心線の傾斜を線図で示す側面姿勢概略図である。
【図６】図６（ａ）は、被評価者の正面姿勢についての上記（A）〜（H）の8つの各項目が、それぞれ「右ずれ」、「真ん中」、「左ずれ」の場合に決定される６５６１通りの判定組み合わせから、上記(A)〜(H)の各項目の判定結果を上から順に一つの矩形に囲んで示し、各矩形囲みの下に上記（あ）〜（き）の判定結果を表示する概略を示す図であり、図６（ｂ）は、被評価者の側面姿勢についての上記(I)〜(M)の５つの各項目において、それぞれ「前傾」、「真ん中」、「後傾」に該当する場合に決定される２４６通りの判定組み合わせの概略を示す図である。
【図７】図７（ａ）は、従来のＷＢＩ計測の概略を示す図であり、図７（ｂ）は、本実施例１に係る姿勢評価に基づく最適運動プログラム決定システムが格納された前記一体型ブレット型コンピュータ１で測定するＷＢＩ計測の概略を示す図である。
【図８】図８（ａ）は、本実施例１に係る姿勢評価に基づく最適運動プログラム決定システムが格納された前記一体型ブレット型コンピュータ１で測定するＷＢＩ計測の概略を示す図であり、図８（ｂ）は、ＷＢＩ（筋力）判定基準を類型化した基準表及びこの基準表に基づく筋力レベルを示す表である。
【図９】図９（ａ）は、長座体前屈による従来の柔軟性測定の概略を示す図であり、図９（ｂ）は、本実施例１に係る姿勢評価に基づく最適運動プログラム決定システムが格納された前記一体型ブレット型コンピュータ１で測定する柔軟性測定の概略を示す図である。
【図１０】図１０（ａ）は、柔軟性表示を行う柔軟性表示画面の概略を示す図であり、図１０（ｂ）は、当該柔軟性測定における判定基準を示す柔軟性判定基準表である。
【発明を実施するための形態】
【００１２】
本発明に係る姿勢評価に基づく最適運動プログラム決定システムを実施するための形態として一実施例を図面に基づき詳細に説明する。
【実施例１】
【００１３】
図１は、本発明に係る姿勢評価に基づく最適運動プログラム決定システムを実施するための形態の一実施例である姿勢評価に基づく最適運動プログラム決定システムを構成する実施例１を示す図である。
【００１４】
図１において、１は、タブレット型コンピュータ、２ａは、内蔵カメラ１、２ｂは、内蔵カメラ２、３は、表示画面、４は、カメラ撮影スイッチ、５は、被評価者画像取り込みの際に画像の背後に一緒に表示されるまたは観念される方眼グラフ表示、６は、被評価者画像、Ａは画像取り込みされる被評価者である。また、図２は、前記タブレット型コンピュータ１の機能概念図であり、１は、同タブレット型コンピュータ、２ａは内蔵カメラ１、２ｂは内蔵カメラ２、３は、表示画面である。
【００１５】
そして、当該タブレット型コンピュータ１は、機能的には、図２に概略するように、手指入力画面６、演算部７、情報記憶メモリ８などからなり、本実施例１に係る姿勢評価に基づく最適運動プログラム決定システムは、前記タブレット型コンピュータ１の前記情報記憶メモリ８に格納されている。したがって、当該タブレット型コンピュータ１は、機能的に同等の機能を有するスマートフォンタイプの携帯電話又はカメラ機能を備える携帯型コンピュータであっても良い。
なお、図１においては、被評価者の姿勢画像は、前記表示画面３の全面にフルサイズで表示して説明したが、本実施例１に係る姿勢評価に基づく最適運動プログラム決定システムが格納された前記一体型ブレット型コンピュータ１においては、後述するように、表示画面３上の特定の領域に表示されるように切り替え可能とする。
【００１６】
本実施例１に係る姿勢評価に基づく最適運動プログラム決定システムは、図１及び図２から明らかなように、一体型のタブレット型コンピュータ１内に格納され、内蔵する内蔵カメラ２ａ、２ｂを使用して被評価者の人体正面及び側面の画像を取り込み、同タブレット型コンピュータ１の表示画面３だけにカメラ画像を表示させ、また、表示画面３を通じて、必要な入力操作を行って、画像等の加工及び演算をさせて、その結果を同表示画面３上に表示することを特徴とする。すなわち、本実施例１に係る姿勢評価に基づく最適運動プログラム決定システムは、一体型の前記タブレット型コンピュータ１において、内蔵するカメラ２ａ、２ｂ及び表示画面３を用いて、被評価者の姿勢を評価し、その姿勢が必要とする最適な運動プログラムを決定し、表示することにより完結した操作を完了させることを特徴とするものである。
【００１７】
したがって、予め画像加工のプログラムや基準データを前記情報記憶メモリ８に記憶させておき、評価対象である被評価者の正面及び側面を前記タブレット型コンピュータ１に内蔵される本来的カメラ機能を利用して撮影するという基本操作からなるものである。前記タブレット型コンピュータ１に内蔵される前記カメラスイッチ４を作動することにより、被評価者の正面画像及び側面画像を前記情報記録メモリ８に保存される。このとき前記表示画面３には、前記内蔵カメラ２ａからの画像情報は、表示背面に表示または非表示の方形グラフ表示に関連づけられて保存される。
【００１８】
なお、第２内蔵カメラ２ｂは、前記表示画面３側に設けられる内蔵カメラであり、撮影者が自分自身を撮影する場合に使用するカメラである。この場合には、撮影者が前記タブレット型コンピュータ１を手に持って、自己の前進を表示画面３内に表示されていることを確認して、前記カメラスイッチ４を作動させるようにし、さらに、撮影者が前記タブレット型コンピュータ１を手に持って全身を撮影するためには、広角のアタッチメントレンズ（図示外）を前記第２内蔵カメラ２ｂの前に取り付けて全身撮影を可能とするようにしても良い。
【００１９】
（被評価者の姿勢画像の取り込み・入力操作）
本実施例１に係る姿勢評価に基づく最適運動プログラム決定システムが格納された前記一体型ブレット型コンピュータ１に被評価者の姿勢画像を取り込む際には、図１に示すように、例えば、前記一体型ブレット型コンピュータ１の前記第１内蔵カメラ２ａを被評価者Ａに向けて、前記カメラスイッチ４を作動して画像を取り込む。ここで、取り込む姿勢画像は、被評価者を正面から撮影する正面姿勢画像と、被評価者の側面から撮影する側面姿勢画像の両画像を取り込む。
【００２０】
図３は、本実施例１に係る姿勢評価に基づく最適運動プログラム決定システムが格納された前記一体型ブレット型コンピュータ１の画像取り込み表示画面の概略を示す図であり、１１は、測定日付入力欄、１２は、被測定者名入力欄、１３は、図１においてカメラスイッチ４として説明した撮影ボタン、１４は、正面姿勢の撮影か、側面姿勢の撮影かを選択する選択ボタン、１５は、撮影済みファイル取り込みボタンであり、過去に取り込まれ保存してある画像ファイルを後述する取り込み画像表示及び解析姿勢表示部１８上に表示させる。
【００２１】
また、１６は、画像編集ボタンであり、後に詳しく説明するように、取り込み画像等から被評価者の姿勢評価の開始ボタンである。１７は、同様の取り込みファイル画像編集ボタン、１８は、取り込み画像表示及び解析姿勢表示部、１９は、評価姿勢詳細欄、２０は、姿勢評価詳述欄、２１は、初期化ボタン、２２は、更新ボタン、２３は、一括更新ボタン、２４は、キーボード表示ボタンである。これらの表示画面において実現しようとする機能及びその配置については、当該表示に限られるものではなく、例えば、前記取り込みファイル画像編集ボタン１７等は、実際に表示されている前記取り込み画像表示及び解析姿勢表示部１８に同期するように構成して省略するようにしても良く、更新ボタン２２、一括更新ボタン２３等他の機能ボタンと重複操作させても良いものである。
【００２２】
次に、図３に示される本実施例１に係る姿勢評価に基づく最適運動プログラム決定システムが格納された前記一体型ブレット型コンピュータ１の画像取り込み表示画面についての実際の操作について説明する。
【００２３】
（１）まず、運動決定の前提となる被評価者の姿勢を評価するには、前記キーボード表示ボタン２４を操作して入力キーボードを表示させ、当該キーボードを使用して、前記測定日付入力欄１１に測定日を入力し、さらに、被評価者名を前記被測定者名入力欄１２に入力する。
（２）次に、図１に示すように、本実施例１に係る姿勢評価に基づく最適運動プログラム決定システムが格納された前記一体型ブレット型コンピュータ１を被評価者に向けて、前記撮影ボタン１３を押し、被評価者の正面姿勢を取り込み。続いて、前記選択ボタン１４により、同様に前記撮影ボタン１３を押して被評価者の側面姿勢画面を取り込む。
（３）次いで、取り込まれた正面姿勢画像または側面姿勢画像は、前記取り込み画像表示及び解析姿勢表示部１８に表示される。
（４）前記取り込み画像表示及び解析姿勢表示部１８に正面姿勢画像または側面姿勢画像が表示されたら、前記画像編集ボタン１６を押して画像編集、すなわち、本実施例１に係る姿勢評価に基づく最適運動プログラム決定システムが格納された前記一体型ブレット型コンピュータ１における姿勢解析を行う。
【００２４】
（撮影画像から被評価者の姿勢解析）
本実施例１に係る姿勢評価に基づく最適運動プログラム決定システムが格納された前記一体型ブレット型コンピュータ１における姿勢解析について図面に基づき詳しく説明する。
【００２５】
図４（ａ）（ｂ）は、取り込まれた正面姿勢画像及び側面姿勢画像の概略を示す図であり、図４において、５は、図１に示した前記表示背面３、１８に表示される方眼グラフ表示であり、６は、前記表示画面３、１８上に表示される被写体である被評価者の表示画像である。本実施例１に係る姿勢評価に基づく最適運動プログラム決定システムが格納された前記一体型ブレット型コンピュータ１においては、前記表示画面３上の特定の領域、例えば、前記取り込み画像表示及び解析姿勢表示部１８に表示される。
【００２６】
そして、取り込まれた正面姿勢画像及び側面姿勢画像は、図４に示すように、前記取り込み画像表示及び解析姿勢表示部１８に表示背面の所定幅の方眼グラフ表示と共に表示される。すなわち、図４に示すように、取り込まれた被評価者の正面姿勢画像（図４（ａ））及び側面姿勢画像（図４（ｂ））は、図４に示すように、表示背面の所定幅の方眼グラフ表示に関連づけられて正面姿勢画像、側面姿勢画像が表示され、前記演算部７に送られる。
【００２７】
一方、前記情報記憶メモリ８には、一般的な人体の正面姿勢から得られる(A)頭部概略、（B)頭側部の左右耳形状概略、(C)左右の肩形状概略、（D）胸部概略、（E)腹部概略、（F）左右の腰形状概略、(G)左右の膝形状概略、(H)左右の踝形状概略の８つのパターンが記憶されており、前記演算部７では、表示された前記正面姿勢画像(図４（ａ））と、これらの記憶された前記(A)〜(H)の形状概略パターンとを照合する。
【００２８】
また、前記正面姿勢画像（図４（ａ））の前記方眼グラフ表示は、表示上から及び左から順に位置番号が、例えば、上からａ１、ａ２、ａ３、・・・、左からｂ１、ｂ２、ｂ３、・・の如く、予め割り振られており、前記演算部７では、表示された前記正面姿勢画像(図４（ａ））上において、前記照合されて一致する形状概略パターンが位置する位置番号(例えば、正面姿勢画像から右耳位置については（ａ４、ｂ５）、右肩位置については（ａ８、ｂ２）の如く）を決定する。
【００２９】
次いで、このように決定された(a)頭部眉間位置、(b）頭側部の左右耳位置、(c)左右の肩位置、（d）胸部位置、（E)臍位置、（F）左右の腰位置、(G)左右の膝位置、(H)左右の踝位置から、図５（ａ）に示されるような線図で表現される陣地正面中心線及びその傾きを決定する。
同様に、前記側面姿勢画像（図４（ｂ））についても、予め記録された一般的な人体の側面姿勢から得られる(I)頭側部の耳形状概略、（J）肩形状概略、（K）腰形状概略、（L）膝形状概略、(M)踝形状概略の５つのパターンが記憶されており、前記演算部７では、表示された前記側面姿勢画像(図４（ｂ））と、これら記憶された前記(I)〜(M)の形状概略パターンとを照合する。
【００３０】
また、前記側面姿勢画像（図４（ｂ））の前記方眼グラフ表示も、上から及び左から順に位置番号が、例えば、上からｃ１、ｃ２、ｃ３、・・・、左からｄ１、ｄ２、ｄ３、・・の如く、予め割り振られており、前記演算部７では、表示された前記側面姿勢画像(図４（ｂ））上において、前記照合されて一致する形状概略パターンが位置する位置番号(例えば、側面姿勢画像から耳位置については（ｃ４、ｄ８）、肩位置については（ｃ８、ｄ７）の如く）を決定する。
【００３１】
次いで、このように決定された(i)耳位置、（j）肩位置、（k）腰位置、（l）膝位置、(m)踝位置位置から、それぞれ図５（ｂ）に示されるような人体側部中心線及びその傾斜を決定する。
図５（ａ）（ｂ）は、表示画面３上に表示された被評価者の人体各部の傾斜を示す正面姿勢概略図であり、図５（ａ）は、被評価者の左右の人体傾斜を線図で示す図であり、図５（ｂ）は、被評価者の前後の人体側部中心線の傾斜を線図で示す側面姿勢概略図である。
【００３２】
（姿勢評価−標準姿勢との比較）
また、前記情報記憶メモリ８には、男女差や年齢構成によって多少の変動がある前記人体傾斜に関する姿勢評価基準データを有し、当該姿勢評価基準データは、（ア）男女差や（イ）年齢、（ウ）身長、（エ）体重、（オ）骨盤筋力・体組成・柔軟性測定等を基準に決定される外、これまで計測値において計測された結果から、変化する（カ）地域特性が考慮される。ここに地域特性が考慮される姿勢評価基準データとは、当該姿勢評価に基づく最適運動プログラム決定システムが格納される前記タブレット型コンピュータ１によって、これまでの測定・集積される被測定者の測定データで日々修正されるデータである。
【００３３】
上記図５（ａ）（ｂ）に示される被評価者の左右の人体傾斜の正面姿勢（図５（ａ））と、前記姿勢評価基準データとを前記演算部７で比較して、それが予め定めた一定の範囲（例えば、自体中心線がまっすぐに垂直であり、かつ、（ア）前記(a)頭部眉間位置、前記(b）頭側部の左右耳位置の中点、前記(c)左右の肩位置の中点、d）前記胸部位置、前記（e)臍位置、（f）左右の腰位置の中点、(g)左右の膝位置の中点、(h)左右の踝位置の中点を結ぶ人体中心線を形成し、さらに、（イ）前記(b）頭側部の左右耳位置の傾き、（ウ）前記(c)左右の肩位置の傾き、（エ）前記（f）左右の腰位置の傾き、(g)左右の膝位置の傾き、(h)左右の踝位置の各傾きを決定し、それぞれ水平で傾きがない場合（すなわち、眉間位置が中央で、左右耳位置、左右の肩位置に差異がなく、胸部位置、臍位置が人体中心線上にあり、左右の腰位置、左右の膝位置、左右の踝位置に差異がない場合）には、「正常」と判断し、その結果を前記評価姿勢詳細欄１９に表示し、(オ)(a)前記眉間位置及び(d)胸位置、（E)腹位置を結んだ人体中心線が垂直でなかったり、又は、ゆがんでいたりした場合、又は、(カ)前記(b）左右耳位置、(c)左右の肩位置、（f）左右の腰位置、(g)左右の膝位置、(h)左右の踝位置について、それぞれ水平で傾きがある場合（すなわち、左右の耳位置、左右の肩位置、左右の腰位置、左右の膝位置、左右の踝位置に差異がある場合）には、「異常」すなわち、予め姿勢パターンをさらに詳細に分析した結果、類似性のある姿勢を類型化した（あ）「正常」、（い）「右より」、（う）「左より」、（え）「右下がり」、（お）「左下がり」、（か）「くの字」、（き）「逆くの字」の７つの判定パターンの中から該当するパターンを決定し、その結果を前記評価姿勢詳細欄１９に表示する。
【００３４】
同様に、前記被評価者の前後の人体傾斜（図５（ｂ））についても、(i)耳位置、（j）肩位置、（k）腰位置、（l）膝位置、(m)踝位置を結ぶ人体前後中心線を形成し、から、それぞれ、「全体として傾きがなく、全体としてまっすぐの場合」には、「正常」と判断し、その結果を前記評価姿勢詳細欄１９に表示し、前記(i)耳位置、（j）肩位置、（k）腰位置、（l）膝位置、(m)踝位置位置から、「全体として傾斜があったり、全体として歪んでいたりする場合」には、「異常」と判断し、それぞれ、その結果を、（キ）「正常」、（ク）「猫背」、（ケ）「反り」、（コ）「猫反り」として、前記評価姿勢詳細欄１９に表示する。
【００３５】
図５（ａ）（ｂ）に示されるように、人体姿勢を線図で示したので、被評価者の姿勢の傾きがより正確に目視できるようになり、これを，さらに、上記（A）〜（H）の８つの各項目について、それぞれ「右ずれ」、「真ん中」、「左ずれ」を判定し、これについて、図６（ａ）に示される６５６１通りの判定組み合わせから、予め姿勢パターンをさらに詳細に分析した結果、類似性のある姿勢を類型化した（あ）「正常」、（い）「右より」、（う）「左より」、（え）「右下がり」、（お）「左下がり」、（か）「くの字」、（き）「逆くの字」の７つの判定パターンの中から該当するパターンを決定する。
【００３６】
図６（ａ）は、被評価者の正面姿勢についての上記（A）〜（H）の8つの各項目が、それぞれ「右ずれ」、「真ん中」、「左ずれ」の場合に決定される６５６１通りの判定組み合わせから、上記(A)〜(H)の各項目の判定結果を上から順に一つの矩形に囲んで示し、各矩形囲みの下に上記（あ）〜（き）の判定結果を表示する概略を示すものであり、図６（ａ）においては、上から順に、(a)頭部眉間位置、(b）頭側部の左右耳位置、(c)左右の肩位置、（d）胸部位置、（e)臍位置、（f）左右の腰位置、(g)左右の膝位置、(h)左右の踝位置の各位置がそれぞれの位置に置いて、「正（真ん中）」、「右（右ずれ）」、「左（左ずれ）」かの判定結果を示し、それらの各位置の組み合わせによる６５６１通りの判定結果から、最下欄に上記（あ）「正常」、（い）「右より」、（う）「左より」、（え）「右下がり」、（お）「左下がり」、（か）「くの字」、（き）「逆くの字」の７つの判定パターンである「正」は、「正常」姿勢パターンを、「逆く」は前記「逆くの字」姿勢パターンを、「右」は前記「右より」姿勢パターンを、「左」は前記「左より」姿勢パターンを、「右下」は前記「右下がり」姿勢パターンを、「左下」は前記「左下がり」姿勢パターンを「く」は前記「くの字」姿勢パターンを示す。
【００３７】
ここに、「右より」とは、「人体姿勢において、姿勢全体が右に傾斜している姿勢」をいい、「左より」とは、「人体姿勢において、姿勢全体が左に傾斜している姿勢」をいい、「右下がり」とは、「人体姿勢において、右肩が左肩より下がっている姿勢」、「左下がり」とは、「人体姿勢において、左肩が右肩より下がっている姿勢」、「くの字」とは、「人体姿勢において、右肩が下がり、かつ腰位置が左寄りの姿勢」、「逆くの字」とは、「人体姿勢において、左肩が下がり、かつ、腰位置が右寄りの姿勢」をいい、被評価者の立ち位置は常に水平平坦であることを基準として、次のような基準で上記（あ）〜（き）の７つの姿勢パターンを決定する。
【００３８】
（あ）「正常」姿勢パターン
この姿勢パターンは、 概ね地面から、「臍」位置・「胸」位置、「眉間」位置にかけ、すべて 正中線に対して 「正」になり、かつ 、「耳」位置・「肩」位置・「腰」位置・「膝」位置・「踝」位置も、平行「正」になる。例えば、図６（ａ）に示される上から順に全て「正」「正」「正」「正」「正」「正」「正」「正」となる姿勢パターンである。
【００３９】
（い）「右寄り」姿勢パターン
この姿勢パターンは、概ね、 正中線に対して、「臍」位置・「胸」位置が 「右」、かつ、肩が「右」下がり、又は「正」となる。例えば、例えば、図６（ａ）に示される上から順に「正」「左」「右」「右」「右」「右」「右」「右」又は「正」「左」「正」「右」「右」「右」「右」「右」となる姿勢パターンである。
【００４０】
（う）「左寄り」姿勢パターン
この姿勢パターンは、概ね正中線に対して、「臍」位置、「胸」位置が、「左」になり、かつ、「肩」位置が、「左下がり」か「正」になる。例えば、図６（ａ）に示される上から順に「正」「左」「左」「左」「左」「正」「左」「右」又は、「正」「左」「正」「左」「左」「正」「左」「右」となる姿勢パターンである。
【００４１】
（え）「右下がり」姿勢パターン
この姿勢パターンは、概ね各測定点とも、「胸」位置より下のものは、「正」になり、かつ、「肩」位置が、「右下がり」になる。また、「眉間」位置、「耳位置」は、左右を問わない。例えば、図６（ａ）に示される上から順に「正」「右」「右」「正」「正」「正」「正」「正」又は、「正」「左」「右」「正」「正」「正」「正」「正」となる姿勢パターンである。
【００４２】
（お）「左下がり」姿勢パターン
この姿勢パターンは、概ね各測定点とも、「胸」位置より下のものは、「正」になり、かつ、「肩」位置が、「左下がり」になる。また、「眉間」位置、「耳位置」は、左右を問わない。例えば、図６（ａ）に示される上から順に「正」「左」「左」「正」「正」「正」「正」「正」又は、「正」「右」「左」「正」「正」「正」「正」「正」となる姿勢パターンである。
【００４３】
（か）「くの字」姿勢パターン
この姿勢パターンは、概ね正中線に対して、「臍」位置が、「右」になり、かつ、「胸」位置が、「正」あるいは「左」になる。例えば、図６（ａ）に示される上から順に「右」「左」「左」「正」「右」「右」「左」「左」又は、「右」「左」「左」「左」「右」「右」「左」「左」となる姿勢パターンである。
【００４４】
（き）「逆くの字」姿勢パターン
この姿勢パターンは、概ね正中線に対して、「臍」位置が、「左」になり、かつ、「胸」位置が、「正」あるいは「右」になる。例えば、図６（ａ）に示される上から順に「正」「左」「右」「正」「左」「右」「右」「右」又は、「正」「左」「右」「右」「左」「右」「右」「右」となる姿勢パターンである。
【００４５】
次いで、被評価者の側面姿勢についても、上記(I)〜(M)の５つの各項目について、同様に、それぞれ「前傾」、「真ん中」、「後傾」を判定し、これについて、図６（ｂ）に示される２４６通りの判定組み合わせから、予め、姿勢パターンをさらに詳細に分析し、類似性のある姿勢を類型化した（く）「正常」、（け）「猫背」、（こ）「反り腰」、（さ）「猫反り」の４つの判定パターンの中から該当するパターンを決定する。
【００４６】
図６（ｂ）は、被評価者の側面姿勢についての上記(I)〜(M)の５つの各項目において、それぞれ「前傾」、「真ん中」、「後傾」に該当する場合に決定される２４６通りの判定組み合わせの概略を示すものであり、上記(I)〜(M)の各項目の判定結果を上から順に一つの矩形に囲んで示し、各矩形囲みの下に上記（く）「正常」、（け）「猫背」、（こ）「反り腰」、（さ）「猫反り」の４つの判定パターンの中から該当するパターンの判定結果を表示する概略を示すものであり、図６（ｂ）においては、上から順に(i)耳位置、（j）肩位置、（k）腰位置、（l）膝位置、(m)踝位置の各位置の人体前後中心線からのずれについて、それぞれ「前傾」、「真ん中」、「後傾」かの判定結果を示し、それらの各位置の組み合わせによる２６４通りの判定結果から、最下欄にその結果である（く）「正常」姿勢パターン、（け）「猫背」姿勢パターン、（こ）「反り腰」姿勢パターン、（さ）「猫反り」姿勢パターンを示す。
【００４７】
ここに、「猫背」姿勢パターンとは、「背中が丸まり、両肩が前に出た姿勢」をいい、「反り腰」姿勢パターンとは、「腰の反りが強く、お尻が出た姿勢」を、「猫反り」姿勢パターンとは、「猫背をかばい、腰が反る姿勢」をいう。
各姿勢パターンは、被評価者の立ち位置は常に水平平坦であることを基準として、次のような基準で上記（く）〜（さ）の４つの姿勢パターンを決定する。
【００４８】
（く）「正常」姿勢パターン
この姿勢パターンは、各測定点を線でつないだ時に、床に対して垂直な、例えば、図６（ｂ）に示される上から順に「正」「正」「正」「正」「正」となる姿勢パターンである。
【００４９】
（け）「猫背」姿勢パターン
この姿勢パターンは、概ね、「肩」位置が、「前」になり、かつ、「腰」位置が、「正」あるいは「後」になる。例えば、図６（ｂ）に示される上から順に「正」「前」「正」「正」「正」又は、「正」「前」「後」「正」「正」となる姿勢パターンである。
【００５０】
（こ）「反り腰」姿勢パターン
この姿勢パターンは、概ね、「肩」位置が、「後」になり、かつ、「腰」位置が、「正」あるいは「前」になる。例えば、図６（ｂ）に示される上から順に「正」「後」「正」「正」「正」又は、「正」「後」「前」「正」「正」となる姿勢パターンである。
【００５１】
（さ）「猫反り」姿勢パターン
この姿勢パターンは、概ね、「肩」位置が、「正」あるいは「前」になり、かつ、「腰」位置が、「後」になる。例えば、図６（ｂ）に示される上から順に「正」「正」「後」「正」「正」又は、「正」「前」「後」「正」「正」となる姿勢パターンである。
【００５２】
このような基準を用いて、（あ）〜（さ）の姿勢パターンを決定する。
決定された姿勢パターンは、例えば、猫背姿勢パターンにあっては、背筋を伸ばし、背中や腰の筋力を増強することにより、猫背を是正することができる。したがって、評価された姿勢パターンに基づいて、適切な運動等を行って，必要な筋力増強等を行えば、正常な姿勢パターンに回復でき、また、正常な姿勢パターンである場合には、それをさらに維持することができるようになる。
【００５３】
（骨盤筋力・体組成・柔軟性測定）
次に、被評価者の骨盤筋力・柔軟性測定について説明する。
被評価者の姿勢は、いわば、測定時点での姿勢状態をパターン化して表示されるものであり、特定の筋力を増強する運動等によって正常姿勢に近づけなければならなかったり、その後、一定の運動を行うことによって、正常状態の姿勢を維持することができるようになる。
【００５４】
このため、測定後の正常姿勢の回復や維持は、その測定時の被評価者の筋力や柔軟性、特に、骨盤の筋力・柔軟性に密接に関係し、また、そのときの体組成や血圧等を把握しておかなければ、今後の運動指針を決定することはできないし、場合によっては、与えてはならない不適切な運動指針を与える結果を招来させるおそれもある。
【００５５】
そこで、評価された姿勢パターンに基づき、最適な運動プログラムを決定するため、また、評価された姿勢パターンの上からは最適であっても、身体の健康状態等から与えてはならない不適切な運動プログラムとならないように、前記姿勢パターンの評価と共に、被評価者の骨盤筋力・体組成・柔軟性測定を行わなければならない。以下、被評価者の骨盤筋力及び柔軟性の測定について説明する。
【００５６】
（１）脚筋力（骨盤筋力）測定
この測定は、ＷＢＩ（weight-bearing index：体重支持指数（通称：立ち上がりテスト））判定に基づくものであり、１０ｃｍ〜４０ｃｍの５ｃｍ刻みの高さに被評価者が腰掛けた状態で、両足で、あるいは、右足のみ又は左足のみで立ち上がることができるかどうかで判定する測定方法である。
【００５７】
図７（ａ）は、従来のＷＢＩ計測の概略を示す図であり、所定高さの台に被評価者を腰掛けさせ、計測者が被評価者の側で片足等の立ち上がりができたか否かを判定し、所定の集計用紙等に記載する方法で測定されていた。図７（ｂ）は、本実施例１に係る姿勢評価に基づく最適運動プログラム決定システムが格納された前記一体型ブレット型コンピュータ１で測定するＷＢＩ計測の概略を示す図である。図７（ａ）（ｂ）において、１は、本実施例１に係る姿勢評価に基づく最適運動プログラム決定システムが格納された前記一体型ブレット型コンピュータ、５０は、従来のＷＢＩ計測台、５１は、台高さを表示する計測目盛り５２が設けられた目盛り付きＷＢＩ計測台を示す。
【００５８】
本実施例１に係る姿勢評価に基づく最適運動プログラム決定システムが格納された前記一体型ブレット型コンピュータ１では、図７（ｂ）に示すように、４０ｃｍ〜１０ｃｍの座り高さを５ｃｍ間隔で変更でき、かつ、その高さが前記目盛り５２で読み取り可能とした前記目盛り付きＷＢＩ計測台５１に被評価者を座らせ、被評価者の座屈高さの数値と共に、その高さから両足を地面につけて、あるいは、右足のみ又は左足のみで立ち上がり動作をして貰い、それを本実施例１に係る姿勢評価に基づく最適運動プログラム決定システムが格納された前記一体型ブレット型コンピュータ１の前記内蔵カメラ２ａで撮影することにより、被評価者の頭部位置が予め記憶された身長位置に達したかどうかで、立ち上がり状態を判定する。
【００５９】
つまり、被評価者が座る前記目盛り付きＷＢＩ計測台５２は、被評価者の座り位置の側に座る台の高さが数値表示される目盛り５２が設けられる前記目盛り付きＷＢＩ計測台５１であって、本実施例１に係る姿勢評価に基づく最適運動プログラム決定システムが格納された前記一体型ブレット型コンピュータ１の前に前記台５１を配置し、台高さを示す前記目盛り５２の表示と共に、被評価者は、一連の立ち上がり動作を行い、被評価者の頭部が予め記憶された身長位置に達したときに、「立ち上がり完了」と判定する。
【００６０】
図８（ａ）は、本実施例１に係る姿勢評価に基づく最適運動プログラム決定システムが格納された前記一体型ブレット型コンピュータ１で測定するＷＢＩ計測の概略を示す図である。図８（ａ）において、符号３０は、ＷＢＩ（筋力）表示欄、３１は、体組成表示欄、３２は、コメント欄であり、上記のＷＢＩ（筋力）の判定結果は、図８（ａ）のＥＢＩ（筋力）表示欄３０に記載の各高さ位置において、立ち上がり完了の場合には、自動的にレ点入力がされ、立ち上がり未了の場合には、空欄の入力及び表示される。
【００６１】
例えば、図８（ａ）のＷＢＩ（筋力）表示欄３０には、２０ｃｍ高さにおいて、両足立ち上がりはできたので、該当欄にレ点入力がされているが、その外の右及び左の片足での立ち上がりが未了であり、空欄が維持され、したがって、その結果、同欄３０の最左端欄の該当高さも空欄に維持され、この被評価者は、２５ｃｍ高さでのＷＢＩ立ち上がりができたことが示されている。
当該ＷＢＩ（筋力）判定は、上記１０ｃｍ〜４０ｃｍまでの５ｃｍ刻みの立ち上がり度の計測において、何個のレ点チェックがついているかどうかで判定する。
【００６２】
図８（ｂ）は、ＷＢＩ（筋力）判定基準を類型化した基準表及びこの基準表に基づく筋力レベルを示す表であり、この基準及び筋力レベルは、「山本利春、村永信吾：下肢筋力が簡便に推定可能な立ち上がり能力の評価（Sportsmedicine, NO.41：38−40, 2002）」等の文献に基づき、下肢筋力の（膝関節伸展力）は、体重支持に大きく関与していることから、日常生活に支障のない下肢筋力評価「５」と定め、これに準じて以下のように定めた。
・評価１：自立して歩行ができない（膝関節伸展力が体重の約２０％以下）
・評価２：歩行障害がある（膝関節伸展力が体重の約２０％以上）
・評価３〜５：日常生活ができる、正常歩行ができる（膝関節伸展力が体重の約３０％以上）
・評価６〜８：ジョギングができる（膝関節伸展力が体重の約６０％以上）
・評価９〜１０：ジャンプやダッシュができる（膝関節伸展力が体重の約９０％以上）
【００６３】
例えば、図８（ａ）のＷＢＩ（筋力）表示欄３０には、２５ｃｍ〜４０ｃｍ高さの両足、左右の足の立ち上がり完了の１２のレ点チェックの外、２０ｃｍ高さの両足立ち上がり完了のレ点チェックがあり、合計１３個のレ点チェック数があるとすると、図８（ｂ）に示されるＷＢＩ（筋力）判定基準表では、評価「５」で、その筋力レベルは、レベル評価「５−３」とされ、その評価内容は、「立つ、座る、軽く走る、階段の上り下りに支障はない」レベルの筋力レベルであることが示される。
【００６４】
（２）体組成測定
図８（ａ）には、体組成表示欄３１が設けられ、体組成計の測定結果を入力・表示する。
ここで使用される体組成計は、ウエスト入力を特徴とする大和製衡社製体組成計（ＤＦ８６０）が使用され、ウエスト入力方式のものとすることにより、腹部に集中して脂肪が増えた場合に高精度な体組成測定を可能とする外、より正確さを求めて全身を８つの電極（８電極式）を用いた８電極全身測定方式及び全身測定方式において測定点を切り替えによる上肢左右、下肢左右等、部位別の正確な測定を可能とし、かつ、細胞外と細胞内を分けて測定できる多周波測定方式の特徴を有するものである。
【００６５】
この体組成計の測定結果に基づき、図８（ａ）の体組成表示欄３１の各「体重」、欄「ＢＭＩ」欄、「体脂肪率」欄、「筋肉率全身」欄、「筋肉量全身」欄、「筋肉量右腕」欄、「筋肉量左腕」欄、「筋肉量右脚」欄、「筋肉量左脚」欄、「基礎代謝量」欄に得られた測定数値を入力し、表示する。
【００６６】
なお、「ＢＭＩ（Body Mass Index）」とは、身長からみた体重の割合を示す体格指数をいい、ＢＭＩ＝体重ｋｇ／（身長ｍ）2で表される。また、「体脂肪率」とは、手に４つ、足に４つの電極をそれぞれ配置し、例えば、右手から右足に電流を流し、右手から左手の電位を測定すれば、右腕において電流と電圧が重なり合い、右腕のインピーダンスを測定することにより、精度を高めた全身の体脂肪率をいい、「筋肉率全身」とは、筋肉率とは、体重のうち筋肉の占める割合を、「筋肉量全身」とは、前記筋肉率全身に体重を掛けた量を、「筋肉量右腕」とは、右腕の筋肉量を、「筋肉量左腕」とは、左腕の筋肉量を、「筋肉量右脚」とは、右脚の筋肉量、「筋肉量左脚」とは、差脚の筋肉量、「基礎代謝量」とは、目覚めている状態で生命を維持する（心臓、呼吸、腎臓の働き、体温や筋緊張の維持など）ために必要な最小限のエネルギー消費量をいう。なお、本実施例１に係る姿勢評価に基づく最適運動プログラム決定システムが格納された前記一体型ブレット型コンピュータ１では、上記体組成計の改良により、所定のプロトコルによる自動入力方式とすることができる。
【００６７】
（３）柔軟性測定
この測定は、長座体前屈状態で、両手、左手、右手がどの程度遠くに届くかどうかで判定する。すなわち、両足を延ばした長座姿勢で前屈を行い、両手先、あるいは、左右の片手先の最遠到達距離を計測する。図９（ａ）は、長座体前屈による従来の柔軟性測定の概略を示す図であり、図９（ｂ）は、本実施例１に係る姿勢評価に基づく最適運動プログラム決定システムが格納された前記一体型ブレット型コンピュータ１で測定する柔軟性測定の概略を示す図である。図９（ａ）（ｂ）において、１は、本実施例１に係る姿勢評価に基づく最適運動プログラム決定システムが格納された前記一体型ブレット型コンピュータ、６０は、従来の柔軟性測定台、６２は、目盛り６１付き柔軟性測定台を示す。
【００６８】
本実施例１に係る姿勢評価に基づく最適運動プログラム決定システムが格納された前記一体型ブレット型コンピュータ１で測定する柔軟性測定は、図（ｂ）に示すように、前記目盛り６１付き柔軟性測定台６２上で両足を延ばした長座姿勢で前屈を行い、両手先、左右の手先の遠方到達距離を前記目盛り６１に表示される到達距離と共に本実施例１に係る姿勢評価に基づく最適運動プログラム決定システムが格納された前記一体型ブレット型コンピュータ１の前記内蔵カメラ２ａで撮影することにとにより、両手先、左右の手先の最遠方到達距離を判定する。
【００６９】
判定された両手先、左右の手先の最遠到達距離は、図１０（ａ）の柔軟性表示欄４１に表示される。図１０（ａ）は、柔軟性表示を行う柔軟性表示画面の概略を示す図であり、図１０（ａ）において、符号４１は、柔軟性表示欄、４２は、血圧表示欄、４３は、その他の最大酸素摂取量表示欄、４４は、コメント欄である。
【００７０】
また、図１０（ｂ）は、当該柔軟性測定における判定基準を示す柔軟性判定基準表であり、文部科学省統計情報（http://www.mext.go.jp/b_menu/toukei/001/022/2003/001/image/001.gif）等に基づいて、５０才の男、女の平均値を、本願出願人会社による被評価者平均年齢を考慮した値（男４０ｃｍ、女４３ｃｍ）を日常生活に支障のない柔軟性である基準評価「５」と定め、両手先、左右の手先の最遠到達距離について、「１」〜「１０」の柔軟性評価及び当該評価に対する柔軟性に対するコメントが類型化されている。すなわち、この柔軟性判定基準表では、評価「５」を基準に、男女共に４ｃｍ最遠到達距離が伸びるごとに評価が一段階上の評価となり、逆に男女共に最遠到達距離が４ｃｍ短くなるごとに評価が一段階したの評価となるようにしている。そして、この評価基準に対応して、以下のコメントが表示される。
【００７１】
・評価「１０」：高強度の運動が可能（ジャンプ・ダッシュ）
・評価「８」〜「９」：軽い運動が可能（ウォーキング）
・評価「５」〜「７」：日常の生活に支障がない
・評価「２」〜「４」：日常の生活に障害がある
・評価「１」：日常生活で、ケガをするリスクがある
ここで、最遠到達距離は、両足を延ばして前方に移動しないようにして、長座姿勢で前屈を行い両手先、左右の手先が足のからどの程度前方に到達するかのセンチメートル表示で示したものである。
このような評価基準を採用することによって、被評価者の柔軟性に対する意識を高め、柔軟性の低下によるケガのリスク等の軽減がはかれる。
【００７２】
（４）血圧測定その他
また、同図１０（ａ）の４２は、別途血圧計にて計測した被評価者の血圧表示欄であり、４３は、その他、別途の計測器、例えば、パルスオキシメーター等で血中酸素濃度等の測定結果を入力表示するその他表示欄である。これらの血圧入力及びその他入力も現在のところ、本実施例１に係る姿勢評価に基づく最適運動プログラム決定システムが格納された前記一体型ブレット型コンピュータ１では、手入力としたが、血圧計や酸素濃度計等の改良により所定のプロトコルによる自動入力方式とすることができる。
【００７３】
（判定姿勢等に基づく運動プログラムの決定）
（１）上記のように判定された類型化された姿勢パターン及び筋力・柔軟性状態等に基づいて、正常姿勢の場合には、それを維持する運動プログラムを決定し、また、特定の異常と判定される姿勢パターンの場合には、その異常を是正する運動プログラムにより、正常姿勢となるような運動プログラムを決定し、それらの決定された運動プログラムに基づいて、運動を実施させ、必要部位の筋力増強等を通じて姿勢の是正につとめさせる。
【００７４】
現在のところ、本願出願人は、次の５種類の運動プログラムを準備し、この運動プログラムにおいて、上述の姿勢パターン及び筋力・柔軟性状態等に基づく最適な運動プログラムが決定される。
【００７５】
まず、提供される各運動プログラムについて説明する。
（ａ）ＬＢトレーニング
ＬＢトレーニングとは、本願出願人会社で行われる主としてトレーニングマシーンを利用するトレーニング（筋力増強維持）であって、使用されるトレーニングマシーンには、次のものがある。
【００７６】
・シーテッドロウマシーン
このトレーニングマシーンは、両肘を曲げてバーを引き寄せ又は両肘を真っ直ぐに伸ばしてバーを前方に押し出す動作を行うことにより、筋肉の増強維持を図るものであり、主として広背筋（脇下と脇腹の間の背中全体）、大円筋（脇下）、僧帽筋中部（肩甲骨の間）、僧帽筋下部（肩甲骨の間）、菱形筋（肩甲骨の内側）、三角筋後部（肩の背面）が鍛えられる外、上腕二頭筋（力こぶ）、腕橈骨筋（前腕の太い部分）の増強維持も可能となる。このマシーンによるトレーニングを行うことにより、背中が逆三角形（男性では背中が厚く逞しい背中、女性では引き締まった背中）になり、また、肩が厚くなり、さらには、筋肉が増える事で基礎代謝が上がり太りにくく痩せやすい体質になる。
【００７７】
・ロータリートルソー
このマシーンは、腹部斜紋筋のトレーニング用マシーンであり、座って肩をクッションに固定させ、ボディを左右の方向に交互に回転させ、その回転に負荷をかけることにより、腹部斜紋筋の増強維持や脊椎部位から生じる姿勢の改善や矯正を行うことができる。
【００７８】
・トータルアブドミナルマシーン
このマシーンは、腹部および臀部屈筋のトレーニング用マシーンであり、座って背中と脚をもたせかけ、ボディを前方へ曲げて肩を膝につける動作において、その動作に負荷をかけることにより、直腸腹部および臀部屈筋の増強維持や脊椎および骨盤部位から生じる姿勢の改善や矯正を行うことができる。
【００７９】
具体的には、前記シーテッドロウマシーンを使用して、「猫背」・「猫反り」姿勢に対して、胸部筋群の筋緊張及び肩甲骨の内転動作を制限させて肩甲骨上背部を寄せることで肩甲骨内転筋群に緊張もたらし、肩のラインを正常な位置に近づけることができる。
また、前記ロータリートルソーマシーンを使用は、「くの字」・「逆くの字」姿勢に対して、体軸の回旋運動をすることで側腹部(シワ寄らない側)の緊張をもたらし、調和のとれた左右バランスを実現できる。
また、前記トータルアブドミナルマシーンに使用は、「反り腰」姿勢に対して、腰椎を屈曲することで、腹筋の強化維持による腰椎のアーチを緩やかな曲線に導き調和のとれた前後バランスを実現できる。
【００８０】
（ｂ）ＬＢストレッチ
ＬＢストレッチは、柔軟性の左右差を揃えることを目的とする運動プログラムであり、「胸のストレッチ」、「ももの裏のストレッチ」、「キャットカール（腰のストレッチ）」、「体側のストレッチ」、「頸部外側のストレッチ」、「臀部のストレッチ」などを組み合わせた運動プログラムである。
【００８１】
「胸のストレッチ」は、後ろ手に組み、胸を張ることにより、肩を前に出し、胸部を筋緊張させて肩甲骨を外転させるため、肩甲骨を正常な位置にすることができる。
「ももの裏のストレッチ」は、骨盤を後傾させるうえで使われるハムストリングを和らげ、骨盤を正常な位置にすることができる。
「キャットカール(腰のストレッチ)」は、四つん這いで腰を丸め腰椎のアーチを強くし、姿勢を起こす際に使われる腰部筋群に筋緊張を与えるストレッチで、体幹を屈曲することにより腰部の筋群を弛緩させ腰椎の曲線を緩やかにする。
「体側のストレッチ」は、身体を側部に倒すことでシワが寄る側は体側筋群に筋緊張を与える一方、シワが寄らない側に体幹の側屈させることで、シワの寄る側の体側筋群を弛緩させ、調和のとれた左右バランスが実現できる。
「頸部外側のストレッチ」は、肩が下がる反対側の頸部外側に筋緊張を与え、肩部挙上に際し使われる僧帽筋(肩が高い側)を和らげ、肩ラインの高低差を是正する。
「臀部のストレッチ」は、仰向きで膝を胸に寄せる動作のストレッチで体重が乗る側には股関節に重心がのり臀筋群に筋緊張を与える一方、体重が乗る側の臀筋群が緩むことにより、筋緊張の左右差が軽減できる。
【００８２】
（ｃ）ＬＢウォーク
ＬＢウォークは、姿勢の左右差を改善するための運動プログラムであって、「骨盤前傾」、「肩甲骨内転」、「左右踏込み強さ合わせ」などウォーキング（歩き）姿勢からなる運動プログラムである。
【００８３】
「骨盤前傾」姿勢は、ウォーキング動作中に骨盤前傾姿勢をとることで、大腿部後面に筋緊張を与え、目常生活における歩く局面での姿勢の崩れ(ウォークでは猫背・骨盤後傾を指す)を改善する。
「肩甲骨内転」姿勢は、ウォーキング動作中に胸部筋群に筋緊張を与え、かつ、大きく腕を振ることにより姿勢の崩れ(ウォークでは猫背・骨盤後傾を指す)を改善する。さらに、肩甲骨を寄せながら腕を振ることから、猫背に対し、背部筋群の強化ができる。
「左右踏込み強さ合わせ」姿勢は、ウォーキング動作中に左右の足の踏み込みを強くし、さらに、その強さを左右両足に均等させることにより、体重が乗る側の股関節に重心を乗せ、臀筋群に筋緊張を与え、左右バランスの崩れを改善する。
【００８４】
（ｄ）ＬＢシェイプ
ＬＢシェイプは、「ワンハンドロウ」、「サイドベンド」、「ランジ」、「レッグレイズ」などの筋力増強の運動プログラムである。
【００８５】
「ワンハンドロウ」は、片手を所定高さの台について、他方の手で所定重さのダンベルを引き上げる動作により、広背筋その他の筋力増強維持を図るトレーニングであり、胸部筋群に筋緊張を与え、さらに、肩甲骨の内転動作を制限し、肩甲骨を寄せることで肩甲骨内転筋群に緊張を与え、肩ラインが正常位置に近づけることができる。
「サイドベント」は、足を肩幅に開き背筋を伸ばし立ち、鍛える逆側の手にダンベルを持ち、反対の手は頭に添え、身体を横に倒す動作により、シワが寄る側の体側筋群に筋緊張を与え、体幹側屈運動により、体側の筋群(シワの寄らない側)に緊張与え、調和のとれた左右バランスが実現できる。
【００８６】
「ランジ」は、前に出した片足に体重を載せ、太ももの前部にある大腿四頭筋や後部のハムストリングス、お尻の筋肉である大殿筋を鍛えるための筋力トレーニングであり、体重が乗る側は股関節に重心が乗し、臀筋群に緊張が与えられる片側性の臀部トレーニングである。片側に重心が乗りやすい「左寄り」姿勢・「右寄り」姿勢に対しては、寄っている側と反対の臀部・大腿部の筋力を増強することにより反対側に重心を移動させ、調和のとれた左右バランスが実現できる。
「レッグレイズ」は、「仰向けに寝て又は半身起き状態で脚を上下させる」動作により腹筋下部（下腹部）の強化を目指す腹筋トレーニングの一つで腹筋下部の強化・引き締め・脂肪燃焼、骨盤の安定、ウエストラインの維持・向上、内臓の位置を整えることができ、腰部筋群に筋緊張を与え腰椎を屈曲する腹部トレーニングにより、腹部に筋緊張を与え腰椎のアーチを緩やかな曲線に導き、調和のとれた前後バランスが実現できる。
【００８７】
（ｅ）ＬＢスイム
ＬＢスイムは、泳ぎを通じて、身体の姿勢の左右差を改善するための運動プログラムであって、「けのび後頭手組み」、「だるま浮き・おへそを見る・手の位置を下げる」、「両手壁掴み」などからなる運動プログラムである。
【００８８】
「けのび後頭手組み」姿勢は、まっすぐに伸ばした身体の頭の後ろ位置に両手を組むことにより、胸部筋群に筋緊張を与え同時に肩甲骨内転動作を制限する姿勢を保つ泳ぎである。けのびの際の水中での指先の向きが進行方向に対して下向きにして進行方向真っ直ぐに指先をむけることができ、肩甲骨を寄せる上背部の身体ラインを正常な位置に近づけることができる。
「だるま浮き・おへそを見る・手の位置を下げる」姿勢は、水中で膝を抱え丸くなり、かつ、おへそを見ながら手の位置が下になる姿勢をとると、上半身の背面部が緩み調和のとれた前後バランスを実現する。
「両手壁掴み」は、水中で両手でプールの壁を掴み身体のバランスをとる。
【００８９】
（２）姿勢パターンに基づく運動プログラムの決定
被評価者の評価姿勢パターンに基づき、最適運動プログラムは次のように決定する。
【００９０】
【表１】
2014078145.tif 000003
【００９１】
表１は、は、評価された各姿勢パターンごとに最適な運動プログラムを示す表である。各姿勢パターンの共通性ないしは強化改善すべき筋力部位等から、最適運動プログラムは一つに決定されるとは限らない。上記の運動プログラム中の各種のマシーン器具等を組み合わせ、又は一つまたは複数の運動プログラムを組み合わせて実施することにより、異常評価された各姿勢パターンが正常姿勢に回復または維持される。
【００９２】
【表２】
2014078145.tif 000004
【００９３】
また、表２は、上記各運動プログラムについて、効率的に是正される姿勢パターンを示す表である。この表においても、各運動プログラムの共通性ないしは増強される筋肉部位等から一つに限られず、複数の姿勢パターンに適用され、効率的にその姿勢が改善・是正される。
【００９４】
表１、表２に示されるように、各姿勢パターンについて、一又は複数の最適運動プログラムを組み合わせることにより、異常の範疇にある姿勢については、正常となるように、また、正常に近い姿勢については、その姿勢を維持するに最適な運動プログラムが決定され、また、各運動プログラムからもその運動プログラムを適用すれば、どの姿勢パターンにおいて、姿勢改善が可能となるかの指標を示すことができる。
【産業上の利用可能性】
【００９５】
本発明は、スポーツジムクラブ等における簡易な姿勢評価及びその姿勢評価に基づく最適運動プログラムの決定に利用される。
【符号の説明】
【００９６】
１ タブレット型コンピュータ
２ａ、２ｂ 内蔵カメラ
３ 表示画面
４ カメラスイッチ
５ 方眼グラフ表示
６ 手指入力画面
７ 演算部
８ 情報記憶メモリ
１１ 測定日付入力欄 
１２ 被測定者名入力欄
１３ 撮影ボタン
１４ 選択ボタン
１６ 画像編集ボタン
１７ ファイル画像編集ボタン
１８ 解析姿勢表示部
１９ 評価姿勢詳細欄
２２ 更新ボタン
２３ 一括更新ボタン
２４ キーボード表示ボタン
３０ ＷＢＩ（筋力）表示欄
３１ 体組成表示欄
４１ 柔軟性表示欄
５１ ＷＢＩ計測台
５２ 目盛り
６１ 目盛り
６２ 柔軟性測定台
Ａ 被評価者
【図１】
2014078145.tif 000005
【図２】
2014078145.tif 000006
【図３】
2014078145.tif 000007
【図４】
2014078145.tif 000008
【図５】
2014078145.tif 000009
【図６】
2014078145.tif 000010
【図７】
2014078145.tif 000011
【図８】
2014078145.tif 000012
【図９】
2014078145.tif 000013
【図１０】
2014078145.tif 000014